(57)【要約】      （修正有）【課題】様々な形状の電子レンジ用容器に使用することのできる蓋体を提供すること。【解決手段】蓋体２０は、電子レンジで加熱される内容物が充填された電子レンジ用容器を覆い、電子レンジ用容器に重ねられる樹脂シート製の第１フィルム層と、第１フィルム層に重ねられ第１フィルム層とは異なる樹脂シート製の第２フィルム層と、を備えている。第２フィルム層は、通気可能に開けられたスリット２２ａを複数有している。スリット２２ａは、１つの軸線ＣＬ上に同じ形状が繰り返し形成されてなる。１つのスリット２２ａの一端２２ｂと、この１つのスリット２２ａと同じ形状を呈する他のスリット２２ａの他端２２ｃと、を結んだ線分Ｌ１は、軸線ＣＬに交差する。【選択図】図３
2019018906.tif 000002
【特許請求の範囲】
【請求項１】
電子レンジで加熱される内容物が充填された電子レンジ用容器を覆い、
前記電子レンジ用容器に重ねられる樹脂シート製の第１フィルム層と、
この第１フィルム層に重ねられ前記第１フィルム層とは異なる樹脂シート製の第２フィルム層と、を備えた蓋体において、
前記第２フィルム層は、通気可能に開けられたスリットを複数有し、
これらのスリットは、１つの軸線上に同じ形状が繰り返し形成されてなり、
１つの前記スリットの一端と、この１つの前記スリットと同じ形状を呈する他の前記スリットの他端と、を結んだ線分は、前記軸線に交差することを特徴とする蓋体。
【請求項２】
請求項１記載の蓋体の製造方法において、
前記第１フィルム層と、前記第２フィルム層の素材となる第２フィルム素材と、円筒状に形成された本体の外周面に刃が設けられたカッター装置と、を準備する準備工程と、
回転している前記カッター装置の近傍に前記第２フィルム素材を送り、前記刃によって前記スリットを形成するスリット形成工程と、
前記スリットが形成された前記第２フィルム層、及び、前記第１フィルム層を重ね合わせる重ね合わせ工程と、を有することを特徴とする蓋体の製造方法。
【発明の詳細な説明】
【技術分野】
【０００１】
本発明は、電子レンジ用容器を覆う蓋体に関する。
【背景技術】
【０００２】
例えば、一部の冷凍食品は、電子レンジ用容器に収納されている。このような電子レンジ用容器を密封する蓋として、樹脂フィルム製の蓋体が知られている。従来技術として特許文献１に開示される技術がある。
【０００３】
特許文献１に示されるような、電子レンジ用容器の蓋体は、複数の樹脂フィルムが積層されてなり、最下層のフィルムを除いたフィルムにスリットが形成されてなる。スリットは、Ｖ字状に２つ形成され、これらのＶ字の先端同士が向かい合うように設けられている。このような蓋体は、トレーやカップの開口を覆っている。
【０００４】
電子レンジ用容器の内容物を温める際には、蓋体を取り外すことなく電子レンジ用容器を電子レンジに入れ、電子レンジを作動させる。内容物が温まり、電子レンジ用容器内部の圧が高まると、スリットが広がる。Ｖ字の先端部同士が繋がると繋がった部位に孔が形成され、この孔から電子レンジ用容器内の蒸気が容器外へ抜ける。
【先行技術文献】
【特許文献】
【０００５】
【特許文献１】特許第４５２４８８４号公報
【発明の概要】
【発明が解決しようとする課題】
【０００６】
一般に、容器の蓋体は、長尺状のフィルムを重ね合わせた上で、これらを電子レンジ用容器の大きさに合わせて切り出すことにより形成される。特許文献１に示された蓋体を形成する場合には、容器の大きさに合わせたピッチ毎にスリットを形成することが考えられる。
【０００７】
このような場合、大きさの異なる電子レンジ用容器の蓋体を作成する際には、スリットのピッチが異なることとなる。このため、別のフィルムを準備する必要がある。
【０００８】
本発明は、様々な形状の電子レンジ用容器に使用することのできる蓋体の提供を課題とする。
【課題を解決するための手段】
【０００９】
請求項１による発明によれば、電子レンジで加熱される内容物が充填された電子レンジ用容器を覆い、
前記電子レンジ用容器に重ねられる樹脂シート製の第１フィルム層と、
この第１フィルム層に重ねられ前記第１フィルム層とは異なる樹脂シート製の第２フィルム層と、を備えた蓋体において、
前記第２フィルム層は、通気可能に開けられたスリットを複数有し、
これらのスリットは、１つの軸線上に同じ形状が繰り返し形成されてなり、
１つの前記スリットの一端と、この１つの前記スリットと同じ形状を呈する他の前記スリットの他端と、を結んだ線分は、前記軸線に交差することを特徴とする蓋体が提供される。
【００１０】
請求項２に記載のごとく、好ましくは、前記第１フィルム層と、前記第２フィルム層の素材となる第２フィルム素材と、円筒状に形成された本体の外周面に刃が設けられたカッター装置と、を準備する準備工程と、
回転している前記カッター装置の近傍に前記第２フィルム素材を送り、前記刃によって前記スリットを形成するスリット形成工程と、
前記スリットが形成された前記第２フィルム層、及び、前記第１フィルム層を重ね合わせる重ね合わせ工程と、を有する。
【発明の効果】
【００１１】
請求項１に係る発明では、スリットは、１つの軸線上に同じ形状が繰り返し形成されてなる。同じ形状のスリットを繰り返し形成することにより、形状の異なる電子レンジ用容器であっても、容器の開口上部にスリットが位置することとなる。即ち、様々な形状の電子レンジ用容器に使用することのできる蓋体を提供することができる。
【００１２】
加えて、１つのスリットの一端と、この１つのスリットと同じ形状を呈する他のスリットの他端と、を結んだ線分は、軸線に交差する。同じ形状が繰り返し形成されるスリットとしては、１つの軸線上に形成されるミシン目が挙げられる。軸線上に繰り返し形成されるスリットは、その端部同士の距離が短いため、スリット同士が容易に繋がる。スリットが必要以上に広がると、電子レンジ容器内の蒸気が必要以上に抜け、内容物が乾燥する。スリットの端部同士を結んだ線分が軸線に交差するようスリットを形成することにより、隣り合うスリットの距離を適度に離間させることができる。結果、適度に蒸気を抜くことができ、内容物を適度に温めることができる。
【００１３】
請求項２に係る発明では、回転しているカッター装置の近傍に第２フィルム素材を送り、刃によってスリットを形成する。回転しているカッター装置の刃によってスリットを形成するため、容易に同じ形状を繰り返し形成することができる。
【００１４】
加えて、スリットが形成された第２フィルム層、及び、第１フィルム層を重ね合わせる。重ね合わせる前にスリットを形成することにより、第２フィルム層にのみスリットを形成すると共に、スリット形成により第１フィルム層に傷を付けることを防止できる。
【図面の簡単な説明】
【００１５】
【図１】本発明の実施例１による蓋体及び電子レンジ用容器の斜視図である。
【図２】図１の２−２線断面図である。
【図３】図１の３部拡大図である。
【図４】図１に示された電子レンジ用容器の製造方法のうち準備工程について説明する図である。
【図５】図１に示された電子レンジ用容器の製造方法のうちスリット形成工程について説明する図である。
【図６】図１に示された電子レンジ用容器の製造方法のうち重ね合わせ工程について説明する図である。
【図７】図１に示された電子レンジ用容器の効果について説明する図である。
【図８】本発明の実施例２による蓋体の要部拡大図である。
【発明を実施するための形態】
【００１６】
本発明の実施の形態を添付図に基づいて以下に説明する。
＜実施例１＞
【００１７】
図１を参照する。電子レンジで加熱される食品Ｆ（内容物Ｆ）が充填された電子レンジ用容器１０は、蓋体２０によって上面が覆われている。
【００１８】
電子レンジ用容器１０は、耐熱性を有する樹脂によって形成され、略矩形状の容器底部１１と、この容器底部１１の端部から立ち上げられた容器壁部１２と、この容器壁部１２の上端から広がり上面に蓋体２０が接着された容器フランジ部１３と、を有している。
【００１９】
図２を参照する。蓋体２０は、電子レンジ用容器に重ねられる樹脂シート製の第１フィルム層２１と、この第１フィルム層２１に重ねられ第１フィルム層２１とは異なる樹脂シート製の第２フィルム層２２と、を備えている。第１フィルム層２１及び第２フィルム層２２は、例えば、ドライラミネートによって互いに接着されている。
【００２０】
第１フィルム層２１は、素材にポリエチレン（ＰＥ）系の樹脂やポリプロピレン（ＰＰ）系の樹脂が用いられる。より具体的には、ＬＬＤＰＥ５０を採用することができる。第１フィルム層２１は、電子レンジにおける調理前において、電子レンジ用容器１０内の水分を外部に漏らさない役割を果たす。
【００２１】
第２フィルム層２２は、素材にポリエチレンテレフタレート（ＰＥＴ）系の樹脂やナイロン（登録商標）系の樹脂が用いられる。より具体的には、ＰＥＴ１２を採用することができる。第２フィルム層２２は、第１フィルム層２１よりも延伸性に富む素材が採用される。
【００２２】
図３を参照する。第２フィルム層２２は、通気可能に開けられたスリット２２ａを複数有している。これらのスリット２２ａは、１つの軸線ＣＬに対して斜めに形成されている。スリット２２ａは、互いに平行に形成されている。即ち、スリット２２ａは、１つの軸線ＣＬ上に同じ形状が繰り返し形成されてなる。
【００２３】
なお、スリット２２ａは、異なる２種類の形状が交互に形成されていてもよい。この場合も、同じ形状のスリット２２ａに着目すると、スリット２２ａは、１つの軸線ＣＬ上に同じ形状が繰り返し形成されてなる、ということができる。さらに、スリット２２ａは、３種類以上の形状が含まれてもよい。
【００２４】
１つのスリット２２ａの一端２２ｂと、この１つのスリット２２ａに隣り合うスリット２２ａの他端２２ｃと、を結んだ線分Ｌ１は、軸線ＣＬに交差する。即ち、１つのスリット２２ａの一端２２ｂと、この１つのスリット２２ａと同じ形状を呈する他のスリット２２ａの他端２２ｃと、を結んだ線分Ｌ１は、軸線ＣＬに交差する。
【００２５】
スリット２２ａは、例えば、幅Ｗが２．１ｍｍ、隣り合うスリット２２ａ間の間隔（ピッチ）Ｐが１．０３ｍｍ、軸線ＣＬに対して傾いている角度θが１５°に形成されている。
【００２６】
図１を参照する。一部のスリット２２ａは、容器フランジ部１３の上方に位置する。
【００２７】
軸線ＣＬは、電子レンジ用容器１０を上方から見た状態を基準として、電子レンジ用容器１０の中心（２本の対角線が交わる位置）を通過していると共に、略矩形状の電子レンジ用容器１０の長辺に沿って延びている。
【００２８】
なお、軸線ＣＬは、電子レンジ用容器１０を上方から見た状態を基準として、略矩形状の電子レンジ用容器１０の対角線に沿って形成されてもよい。軸線ＣＬは、電子レンジ用容器１０を上方から見た状態を基準として、電子レンジ用容器１０の中心を通過していることが好ましい。加熱時に最も膨張する中心上に軸線ＣＬを形成することにより、確実に蒸気を抜くことができる。
【００２９】
食品Ｆを電子レンジにおいて温めた際の蓋体２０の作用について説明する。
【００３０】
食品Ｆを温める際には、蓋体２０を剥がすことなく電子レンジ用容器１０を電子レンジ内に投入する。電子レンジを作動させると、食品Ｆが加熱される。加熱されることにより、食品Ｆに含まれる水分が水蒸気となる。さらに食品Ｆが加熱されると、電子レンジ用容器１０内の圧が上昇し、第１フィルム層２１は破裂する。
【００３１】
図３を併せて参照する。第２フィルム層２２は、食品Ｆが加熱された熱によって軟化する。この状態で第１層フィルム２１が膨張すると、スリット２２ａが裂ける。これにより、電子レンジ用容器１０内の水蒸気が外部へ抜ける。
【００３２】
電子レンジで温めるまでは、第１フィルム層２１によって電子レンジ用容器１０は、密封されている。このため、食品Ｆを充填し蓋体２０を取り付けてから電子レンジにおいて加熱をするまで、食品Ｆの衛生状態を良好に保つことができる。加えて、輸送中等において水分が漏れることを抑制している。
【００３３】
一方、電子レンジによる加熱時には、蓋体２０に穴が開き、この穴から水蒸気が抜ける。これにより、電子レンジ用容器１０の内部が過度に高圧となることを防止している。このような蓋体２０の製造方法を図４乃至図６において説明する。
【００３４】
図４を参照する。まず、第１フィルム層２１と、第２フィルム層２２の素材となる第２フィルム素材２５と、円筒状に形成された本体３１の外周面に刃３２が設けられたカッター装置３０と、を準備する（準備工程）。
【００３５】
図５を参照する。次に、カッター装置３０を回転させる。回転しているカッター装置３０の近傍に第２フィルム素材２５を送り、刃３２によって第２フィルム素材２５に穴をあけ、スリット２２ａを形成する（スリット形成工程）。
【００３６】
図６を参照する。スリット２２ａが形成された第２フィルム層２２、及び、第１フィルム層２１を重ね合わせる（重ね合わせ工程）。このとき、加熱したローラ４１，４１によって第１フィルム層２１及び第２フィルム層２２に圧を加える。予め第１フィルム層２１及び／又は第２フィルム層２２に塗布された接着剤を介して、第１フィルム層２１及び第２フィルム層２２は、接着される。
【００３７】
長尺状に形成された蓋体２０は、電子レンジ用容器１０（図１参照）に合わせた大きさに切り出され、電子レンジ用容器１０に接着される。
【００３８】
以上に説明した本発明は、以下の効果を奏する。
【００３９】
図７（ａ）及び図７（ｂ）を参照する。スリット２２ａは、１つの軸線ＣＬ上に同じ形状が繰り返し形成されてなる。同じ形状のスリット２２ａを繰り返し形成することにより、形状の異なる電子レンジ用容器１０、１０Ａであっても、電子レンジ用容器１０、１０Ａの開口上部にスリット２２ａが位置することとなる。即ち、様々な形状の電子レンジ用容器１０、１０Ａに使用することのできる蓋体を提供することができる。
【００４０】
図３を参照する。１つのスリット２２ａの一端２２ｂと、この１つのスリット２２ａと同じ形状を呈する他のスリット２２ａの他端２２ｃと、を結んだ線分Ｌ１は、軸線ＣＬに交差する。同じ形状が繰り返し形成されるスリット２２ａとしては、１つの軸線ＣＬ上に形成されるミシン目が挙げられる。ミシン目は、その端部同士の距離が短いため、スリット同士が容易に繋がる。スリットが必要以上に広がると、電子レンジ用容器１０（図２参照）内の蒸気が必要以上に抜け、内容物が乾燥する。スリット２２ａの端部同士を結んだ線分Ｌ１が軸線ＣＬに交差するようスリット２２ａを形成することにより、隣り合うスリット２２ａの距離を適度に離間させることができる。結果、適度に蒸気を抜くことができ、食品Ｆを適度に温めることができる。
【００４１】
図５（ａ）及び図５（ｂ）を参照する。回転しているカッター装置３０の近傍に第２フィルム素材２５を送り、刃３２によってスリット２２ａを形成する。回転しているカッター装置３０の刃３２によってスリット２２ａを形成するため、容易に同じ形状を繰り返し形成することができる。
【００４２】
図６を併せて参照する。スリット２２ａが形成された第２フィルム層２２、及び、第１フィルム層２１を重ね合わせる。重ね合わせる前にスリット２２ａを形成することにより、第２フィルム層２２にのみスリット２２ａを形成すると共に、スリット２２ａ形成により第１フィルム層２１に傷を付けることを防止できる。
＜実施例２＞
【００４３】
次に、本発明の実施例２を図面に基づいて説明する。
【００４４】
図８には、実施例２による蓋体２０Ａが示されている。実施例２による蓋体２０Ａは、スリット２２ａＡが略Ｓ字状に形成されている。その他の基本的な構成については、実施例１による蓋体２０と共通する。実施例１と共通する部分については、符号を流用すると共に、詳細な説明を省略する。
【００４５】
実施例２による蓋体２０Ａも本発明所定の効果を奏する。
【００４６】
尚、本発明の作用及び効果を奏する限りにおいて、本発明は、実施例に限定されるものではない。
【産業上の利用可能性】
【００４７】
本発明の蓋体は、冷凍食品を収納した容器の蓋に好適である。
【符号の説明】
【００４８】
１０、１０Ａ…電子レンジ用容器
２０、２０Ａ…蓋体
２１…第１フィルム層
２２…第２フィルム層
２２ａ、２２ａＡ…スリット
２２ｂ…（スリットの）一端
２２ｃ…（スリットの）他端
２５…第２フィルム素材
３０…カッター装置
３１…本体
３２…刃
Ｆ…食品（内容物）
ＣＬ…軸線
Ｌ１…線分
【図１】
2019018906.tif 000003
【図２】
2019018906.tif 000004
【図３】
2019018906.tif 000005
【図４】
2019018906.tif 000006
【図５】
2019018906.tif 000007
【図６】
2019018906.tif 000008
【図７】
2019018906.tif 000009
【図８】
2019018906.tif 000010